(57)【要約】【課題】撮影禁止区域を厳密に測定し、撮影禁止区域内における盗撮行為を防止するための盗撮防止システム、盗撮検出装置及び盗撮防止方法を提供する。【解決手段】基準信号送信装置１０１は基準信号を定期的に送信し、携帯端末装置１０２は、基準信号を受信してから所定時間経過後に、撮影可能信号を送信し、信号受信装置１０３は、基準信号及び撮影可能信号を受信する。盗撮検出装置１０４に、基準信号送信装置１０１は、基準信号送信時刻及び撮影可能信号受信時刻についての情報を、信号受信装置１０３は、基準信号受信時刻及び撮影可能信号受信時刻についての情報を送信する。盗撮検出装置１０４は、これらの情報から携帯端末装置１０２の位置が、撮影禁止区域内か否かの判定を行ない、該区域内であれば、盗撮防止装置１０５を作動させる。【選択図】図１
2008312009.tif 000002
【特許請求の範囲】
【請求項１】
所定の時間間隔で、基準とする基準信号を送信する基準信号送信手段と、
撮影機能を備え、前記基準信号を受信し、撮影可能状態である場合に、該基準信号の受信時刻から所定の時間経過後に、撮影可能状態であることを示す撮影可能信号を送信する携帯端末装置と、
前記基準信号と前記撮影可能信号とを受信する複数の信号受信手段と、
前記基準信号送信手段及び前記信号受信手段から送信される情報により、前記携帯端末装置が、所定の区域に位置するか否かの検出を行なう盗撮検出手段と、
前記携帯端末装置が、前記所定の区域内に位置した場合に、前記盗撮検出手段が、盗撮を防止するために作動させる盗撮防止手段とを備えることを特徴とする盗撮防止システム。
【請求項２】
前記基準信号送信手段は、前記基準信号の送信時刻及び前記撮影可能信号の受信時刻についての情報を、前記盗撮検出手段に送信し、
前記信号受信手段は、前記基準信号の受信時刻及び前記撮影可能信号の受信時刻についての情報を、前記盗撮検出手段に送信し、
前記盗撮検出手段は、前記基準信号送信手段及び前記信号受信手段から受信した情報から、前記携帯端末装置の位置を計測することを特徴とする請求項１に記載の盗撮防止システム。
【請求項３】
前記基準信号及び前記撮影可能信号には、前記基準信号送信手段及び／又は前記携帯端末装置の識別情報が含まれることを特徴とする請求項１又は請求項２に記載の盗撮防止システム。
【請求項４】
前記基準信号及び前記撮影可能信号は、短いインパルス状の純粋なパルス信号列であることを特徴とする請求項３に記載の盗撮防止システム。
【請求項５】
前記盗撮防止手段は、前記携帯端末装置が前記所定の区域内に位置する場合、音声により通知することを特徴とする請求項１から請求項４のいずれか１つに記載の盗撮防止システム。
【請求項６】
前記盗撮防止手段は、前記携帯端末装置が前記所定の区域内に位置する場合、該区域に設けられた施錠手段を作動させることを特徴とする請求項１から請求項４のいずれか１つに記載の盗撮防止システム。
【請求項７】
撮影機能を備える携帯端末装置が、所定の区域内に位置するか検出を行なう盗撮検出装置であって、
信号の送受信の時刻に関する送受信時刻情報を受信して記憶する記憶手段と、
前記記憶手段から、前記送受信時刻情報を取得して、前記携帯端末装置の位置を計測し、前記所定の区域内に位置するかの判定を行なう盗撮判定手段と、
前記盗撮判定手段は、前記携帯端末装置が、前記所定の区域内に位置すると判定した場合に、盗撮防止装置を作動させる盗撮防止装置作動手段とを備えることを特徴とする盗撮検出装置。
【請求項８】
前記信号は、基準とするために所定の時間間隔で送信される基準信号と、前記携帯端末装置が、該基準信号を受信してから所定の時間経過後に、撮影可能状態であることを示すために送信する撮影可能信号とであり、
前記送受信時刻情報は、前記基準信号を送信する基準信号送信装置からの該基準信号の送信時刻及び前記撮影可能信号の受信時刻の情報と、信号受信装置からの前記基準信号の受信時刻及び前記撮影可能信号の受信時刻の情報とであることを特徴とする請求項７に記載の盗撮検出装置。
【請求項９】
前記基準信号送信装置における該基準信号の送信時刻をＢｓ、前記撮影可能信号の受信時刻をＢｔｓ、前記携帯端末装置が前記基準信号を受信してから前記撮影可能信号を送信するまでの所定時間をＴｄｔとした場合に、該基準信号送信装置と該携帯端末装置間の距離Ｌｔｂの信号伝播時間Ｔｄｂを、
Ｔｄｂ＝Ｂｔｓ−Ｂｓ−Ｔｄｔとして算出し、
前記信号受信装置における前記撮影可能信号の受信時刻をＲｔｓ、信号が空気中を伝播する速度をＶｓとした場合に、該信号受信装置と前記携帯端末装置間の距離Ｌｔｒは、
Ｌｔｒ＝｛（Ｒｔｓ−Ｂｓ）−（Ｔｄｂ−Ｔｄｔ）｝×Ｖｓとして算出し、該距離Ｌｔｒから、該携帯端末装置が前記所定の区域内に位置するかの判定を行なうことを特徴とする請求項８に記載の盗撮検出装置。
【請求項１０】
所定の時間間隔で基準とする基準信号を送信する基準信号送信手段、撮影機能を備えた携帯端末装置、及び該基準信号送信手段及び該携帯端末装置からの信号を受信する信号受信手段から、盗撮検出手段により該携帯端末装置が所定の区域内に位置するか検出する盗撮防止方法であって、
前記基準信号送信手段が、
前記基準信号を送信するステップと、
前記携帯端末装置が、
前記基準信号を受信してから所定の時間経過後に、撮影可能状態であることを示す撮影可能信号を送信するステップと、
前記基準信号送信手段が、
前記盗撮検出手段に、前記基準信号の送信時刻及び前記撮影可能信号の受信時刻の情報を送信するステップと、
前記信号受信手段が、
前記盗撮検出手段に、前記基準信号の受信時刻及び前記撮影可能信号の受信時刻の情報を送信するステップと、
前記盗撮検出手段が、
前記基準信号送信手段及び前記信号受信手段からの情報より、前記携帯端末装置が、前記所定の区域内に位置するかの判定を行なうステップと、
前記携帯端末装置が前記所定の区域内に位置した場合に、盗撮防止装置を作動させるステップとを備えたことを特徴とする盗撮防止方法。
【発明の詳細な説明】
【技術分野】
【０００１】
本発明は、撮影禁止区域での、撮影機能が搭載された携帯端末装置による撮影を防止するための撮影防止の技術に関する。
【背景技術】
【０００２】
従来より、デジタルカメラや携帯電話などの携帯端末装置に搭載されたカメラ等による、例えば、企業秘密を不正取得するための機密情報を含んだ機器や書類等の盗撮、又は、公衆の場での猥褻目的の盗撮、書物や美術品といった著作物の違法な撮影等が問題になってきた。
【０００３】
また、近年、デジタルカメラ、ビデオカメラ又は携帯電話などに搭載され、静止画や動画が撮影可能なＣＣＤ（Ｃｈａｒｇｅ  Ｃｏｕｐｌｅｄ  Ｄｅｖｉｃｅ）カメラやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）カメラの画素数、画質などの性能向上により、携帯端末装置に格納できる情報が増えたため、盗撮に関しての危険性は増大している。すなわち、情報漏えい、著作権の侵害又はプライバシーの侵害等に関して、これらを防止するためのニーズがより増えてきている。
【０００４】
この問題点に対する対応措置として、現在、カメラ付き携帯電話などでは、操作時の効果音等が出ないマナーモード（サイレントモード）にした場合でも、カメラ撮影時には撮影音がしたり、ライトが点灯し、撮影が行なわれた事を示す機能が標準で実装されている。
【０００５】
また、周囲の雑音が大きい場合や周囲光のために撮影していることがわかりにくい場合であっても、周辺音の大きさや周辺の光量に合わせて、撮影音や撮影通知光を調整し、撮影者が撮影した事について分かる装置に関する技術が開示されている（例えば、特許文献１参照）。
【０００６】
また、移動局装置が、撮影時にカメラの撮影機能から発信する特定信号を受信すると、移動局装置の使用者に対し、警告音を発生して通知する技術が開示されている（例えば、特許文献２参照）。
【０００７】
また、撮影禁止区域付近で、撮影機能を制限する信号を発信することにより、撮影操作を禁止する技術が開示されている（例えば、特許文献３参照）。
【特許文献１】特開２００５−３０３７１９号公報
【特許文献２】特開２００５−３３３２１７号公報
【特許文献３】特開２００５−３４１０４４号公報
【発明の開示】
【発明が解決しようとする課題】
【０００８】
しかしながら、特許文献１では、公衆の場において周囲に撮影者以外の者がいる場合に効果はあるが、人のいない時を狙った企業の機密情報の取得や、著作物の盗撮（いわゆるデジタル万引き）などに有効な手段となるとは言えない。
【０００９】
また、特許文献２及び特許文献３の技術では、撮影禁止区域付近で特に撮影が禁止されていない場所でも、撮影禁止の警報が鳴ったり、ユーザーの携帯端末装置の撮影操作が出来なくなるなどと言った問題点があった。
【００１０】
本発明は、上記問題点を解決するためになされたものであり、その目的は、撮影禁止区域を厳密に測定し、撮影禁止区域内における盗撮行為を防止するための盗撮防止システム、盗撮検出装置及び盗撮防止方法を提供することである。
【課題を解決するための手段】
【００１１】
斯かる実情に鑑み、第１の発明による盗撮防止システムは、所定の時間間隔で、基準とする基準信号を送信する基準信号送信手段と、撮影機能を備え、前記基準信号を受信し、撮影可能状態である場合に、該基準信号の受信時刻から所定の時間経過後に、撮影可能状態であることを示す撮影可能信号を送信する携帯端末装置と、前記基準信号と前記撮影可能信号とを受信する複数の信号受信手段と、前記基準信号送信手段及び前記信号受信手段から送信される情報により、前記携帯端末装置が、所定の区域に位置するか否かの検出を行なう盗撮検出手段と、前記携帯端末装置が、前記所定の区域内に位置した場合に、前記盗撮検出手段が、盗撮を防止するために作動させる盗撮防止手段とを備えることを特徴とする。
【００１２】
また、第２の発明による盗撮防止システムは、前記基準信号送信手段が、前記基準信号の送信時刻及び前記撮影可能信号の受信時刻についての情報を、前記盗撮検出手段に送信し、前記信号受信手段は、前記基準信号の受信時刻及び前記撮影可能信号の受信時刻についての情報を、前記盗撮検出手段に送信し、前記盗撮検出手段は、前記基準信号送信手段及び前記信号受信手段から受信した情報から、前記携帯端末装置の位置を計測することを特徴とする。
【００１３】
また、第３の発明による盗撮防止システムは、前記基準信号及び前記撮影可能信号には、前記基準信号送信手段及び／又は前記携帯端末装置の識別情報が含まれることを特徴とする。
【００１４】
また、第４の発明による盗撮防止システムは、前記基準信号及び前記撮影可能信号が、短いインパルス状の純粋なパルス信号列であることを特徴とする。
【００１５】
また、第５の発明による盗撮防止システムは、前記盗撮防止手段が、前記携帯端末装置が前記所定の区域内に位置する場合、音声により通知することを特徴とする。
【００１６】
また、第６の発明による盗撮防止システムは、前記盗撮防止手段が、前記携帯端末装置が前記所定の区域内に位置する場合、該区域に設けられた施錠手段を作動させることを特徴とする。
【００１７】
また、第７の発明による盗撮検出装置は、撮影機能を備える携帯端末装置が、所定の区域内に位置するか検出を行なう盗撮検出装置であって、信号の送受信の時刻に関する送受信時刻情報を受信して記憶する記憶手段と、前記記憶手段から、前記送受信時刻情報を取得して、前記携帯端末装置の位置を計測し、前記所定の区域内に位置するかの判定を行なう盗撮判定手段と、前記盗撮判定手段は、前記携帯端末装置が、前記所定の区域内に位置すると判定した場合に、盗撮防止装置を作動させる盗撮防止装置作動手段とを備えることを特徴とする。
【００１８】
また、第８の発明による盗撮検出装置は、前記信号が、基準とするために所定の時間間隔で送信される基準信号と、前記携帯端末装置が、該基準信号を受信してから所定の時間経過後に、撮影可能状態であることを示す撮影可能信号とであり、前記送受信時刻情報は、前記基準信号を送信する基準信号送信装置からの該基準信号の送信時刻及び前記撮影可能信号の受信時刻の情報と、信号受信装置からの前記基準信号の受信時刻及び前記撮影可能信号の受信時刻の情報とであることを特徴とする。
【００１９】
また、第９の発明による盗撮検出装置は、前記基準信号送信装置における該基準信号の送信時刻をＢｓ、前記撮影可能信号の受信時刻をＢｔｓ、前記携帯端末装置が前記基準信号を受信してから前記撮影可能信号を送信するまでの所定時間をＴｄｔとした場合に、該基準信号送信装置と該携帯端末装置間の距離Ｌｔｂの信号伝播時間Ｔｄｂを、Ｔｄｂ＝Ｂｔｓ−Ｂｓ−Ｔｄｔとして算出し、前記信号受信装置における前記撮影可能信号の受信時刻をＲｔｓ、信号が空気中を伝播する速度をＶｓとした場合に、該信号受信装置と前記携帯端末装置間の距離Ｌｔｒは、Ｌｔｒ＝｛（Ｒｔｓ−Ｂｓ）−（Ｔｄｂ−Ｔｄｔ）｝×Ｖｓとして算出し、該距離Ｌｔｒから、該携帯端末装置が前記所定の区域内に位置するかの判定を行なうことを特徴とする。
【００２０】
また、第１０の発明による盗撮防止方法は、所定の時間間隔で基準とする基準信号を送信する基準信号送信手段、撮影機能を備えた携帯端末装置、及び該基準信号送信手段及び該携帯端末装置からの信号を受信する信号受信手段から、盗撮検出手段により該携帯端末装置が所定の区域内に位置するか検出する盗撮防止方法であって、
前記基準信号送信手段が、前記基準信号を送信するステップと、
前記携帯端末装置が、前記基準信号を受信してから所定の時間経過後に、撮影可能状態であることを示す撮影可能信号を送信するステップと、
前記基準信号送信手段が、前記盗撮検出手段に、前記基準信号の送信時刻及び前記撮影可能信号の受信時刻の情報を送信するステップと、
前記信号受信手段が、前記盗撮検出手段に、前記基準信号の受信時刻及び前記撮影可能信号の受信時刻の情報を送信するステップと、
前記盗撮検出手段が、前記基準信号送信手段及び前記信号受信手段からの情報より、前記携帯端末装置が、前記所定の区域内に位置するかの判定を行なうステップと、前記携帯端末装置が前記所定の区域内に位置した場合に、盗撮防止装置を作動させるステップとを備えたことを特徴とする。
【発明の効果】
【００２１】
本発明によれば、携帯端末装置の位置を特定するために、携帯端末装置と信号受信器間の距離を測定するための基準信号を送信し、基準信号送信手段及び複数の信号受信手段からそれぞれ、基準信号送信時刻、基準信号受信時刻、撮影可能信号受信時刻を取得し、各信号受信手段から携帯端末装置までの距離を計測することができる。各信号受信手段の設置位置と信号受信手段から携帯端末装置までの距離より、撮影可能状態である携帯端末装置の位置が撮影を禁止する区域内か否かの判定を行ない、該区域内で撮影が行なわれる恐れがある場合には、撮影を抑止するための機器を作動させることができる。
【００２２】
また、基準信号及び撮影可能信号に、基準信号送信手段及び／又は携帯端末装置の識別情報を載せることにより、計測区域内に、複数の基準信号送信手段及び携帯端末装置が存在しても、区別して、個々の装置について正確に計測を行なうことができる。
【００２３】
また、携帯端末装置の位置の計測の精度が高くなるので、撮影禁止区域付近で特に撮影が禁止されていない場所での盗撮防止装置の誤作動を防ぐことができる。
【発明を実施するための最良の形態】
【００２４】
以下、本発明の実施の形態を図示例と共に説明する。
【００２５】
（第１の実施の形態）
図１は本発明に係る盗撮防止システム１００の概略構成を示す図である。
【００２６】
盗撮防止システム１００は、所定の時間間隔で基準信号を送信する基準信号送信装置１０１と、カメラなどの撮影機能を有し、かつ基準信号送信装置１０１から送信される基準信号を受信し、撮影可能状態である場合には撮影可能信号を送信することができる携帯端末装置１０２と、基準信号送信装置１０１からの基準信号及び携帯端末装置１０２からの撮影可能信号を受信するための複数の信号受信装置１０３と、基準信号送信装置１０１、携帯端末装置１０２及び信号受信装置１０３から受信した信号送受信時刻情報により携帯端末装置１０２が撮影禁止区域にあるか否かの判定を行なう盗撮検出装置１０４と、盗撮検出装置１０４が、携帯端末装置１０２は撮影禁止区域にあると判定した場合に、作動させる盗撮防止装置１０５と、を含んで構成される。
【００２７】
なお、上記では、基準信号送信装置１０１と、信号受信装置１０３と、盗撮検出装置１０４と、盗撮防止装置１０５とを別個の装置として説明したが、基準信号装置１０１に盗撮検出装置１０４及び／又は盗撮防止装置を備え、１つの装置としてもよいし、信号受信装置１０３に盗撮検出装置１０４及び／又は盗撮防止装置を備え、１つの装置としても、本発明の効果は同様で、実施することができる。
【００２８】
基準信号送信装置１０１は、携帯端末装置１０２からの撮影可能信号を受信し、基準信号を送信した時刻と、撮影可能信号を受信した時刻とを一時的に記憶し、盗撮検出装置１０４に該時刻情報を送信する。
【００２９】
また、盗撮検出装置１０４は、基準信号送信装置１０１及び信号受信装置１０３の基準時計としての機能も備える。
【００３０】
本発明に係るシステムは、撮影機能付きの携帯端末装置１０２が撮影禁止区域内において撮影行為を行なおうとした場合に、基準信号送信手段１０１、信号受信装置１０３及び盗撮検出装置１０４により盗撮行為が撮影禁止区域内で行なわれている事を判定し、盗撮を検出した場合には、盗撮防止装置１０５を作動させ、盗撮を防止する構成となっている。
【００３１】
図２は、本発明に係るシステムにおける各装置の盗撮防止機能のモジュール部分の構成について示したブロック図である。
【００３２】
基準信号送信装置１０１には、基準信号を送信する基準信号送信手段２０１と、携帯端末装置１０２から撮影可能信号を受信する撮影可能信号受信手段２０２と、これらの送受信した時刻を記憶する記憶手段２０３と、記憶手段２０３から信号送受信の時刻情報を取得し、盗撮検出装置１０４に送信する制御手段２０４とを含んで構成される。
【００３３】
また、信号受信装置１０３には、基準信号送信装置１０１からの基準信号及び携帯端末装置１０２からの撮影可能信号を受信する信号受信手段２０５と、これらの受信した時刻を記憶する記憶手段２０６と、信号受信の時刻情報を取得し、盗撮検出装置１０４に送信する制御手段２０７とを含んで構成される。
【００３４】
また、盗撮検出装置１０４には、基準信号送信装置１０１及び信号受信装置１０３から受信した信号送受信時刻情報を記憶する記憶手段２０８と、記憶手段２０８から取得した信号送受信時刻情報より、携帯端末装置１０２が撮影禁止区域で撮影可能状態にあるか否かの判定・検出をする盗撮判定手段２０９と、盗撮判定手段２０９が、盗撮を検出した場合に、盗撮防止装置１０５を作動させる盗撮防止装置作動手段２１０と、基準信号送信装置１０１及び信号受信装置１０３の基準となる基準時計２１１とを含んで構成される。
【００３５】
上記説明では、それぞれの装置個々に記憶手段を備えるとして説明したが、例えば、基準信号送信装置１０１又は信号受信装置１０３と盗撮検出装置１０４及び／又は盗撮防止装置１０５が、１つの装置として構成されるのであれば、記憶手段をまとめて１つとしてもよい。
【００３６】
図３は、本発明に係るシステムに対応した携帯端末装置１０２における盗撮防止機能のモジュール部分の構成について示したブロック図である。
【００３７】
携帯端末装置１０２には、携帯端末装置１０２内のカメラデバイスの電源判定手段３０１と、基準信号送信装置１０１から送信される基準信号を受信するための基準信号受信手段３０２と、携帯端末装置１０２固有の情報を保持し、撮影可能信号送信時に該情報を出力する端末情報取得手段３０３と、カメラデバイス電源判定手段３０１と基準信号受信手段３０２からの情報により、盗撮防止システムの基準信号を受信可能な場所において、携帯端末装置１０２がカメラ撮影可能状態であるかを判定する撮影可能状態判定手段３０４と、撮影可能状態判定手段３０４により撮影可能状態と判定された場合に、基準信号受信手段３０２で受信した基準信号の情報と端末情報取得手段３０３から取得した端末情報を撮影可能信号として送信するための撮影可能信号送信手段３０５とを含んで構成される。
【００３８】
図４は、基準信号送信装置１０１、携帯端末装置１０２、信号受信手段１０３ａ、１０３ｂの位置関係及びそれぞれの間の距離Ｌｔｂ、ＬｔｒＮ、ＬｂｒＮ（Ｎ＝ａ又はｂ）を示す図である。
【００３９】
図５は、基準信号送信装置１０１、携帯端末装置１０２、信号受信装置１０３における基準信号及び撮影可能信号についての送受信時刻の関係を示す図である。
【００４０】
Ｂｓは、基準信号送信装置１０１の基準信号送信時刻であり、Ｂｔｓは、基準信号送信装置１０１において携帯端末装置１０２から受信した撮影可能信号受信時刻であり、Ｔｄｂは、基準信号送信装置１０１と携帯端末装置１０２間の距離Ｌｔｂの信号伝播時間である。
【００４１】
Ｔｒは、携帯端末装置１０２の基準信号受信時刻であり、Ｔｓは携帯端末装置１０２からの撮影可能信号送信時刻であり、Ｔｄｔは携帯端末装置１０２が基準信号を受信してから撮影可能信号を送信するまでの予めさだめられた時間である。
【００４２】
ＲｂｓＮは、信号受信装置１０３が基準信号を受信した時刻であり、ＲｔｓＮは、信号受信装置１０３が撮影可能信号を受信した時刻であり、ＤｂｒＮは、基準信号送信装置１０１と信号受信装置１０３間の距離ＬｂｒＮの信号伝播時間であり、ＴｄｒＮは信号受信装置１０３と携帯端末装置１０２間の距離ＬｔｒＮの信号伝播時間である（Ｎ＝ａ又はｂ）。
【００４３】
以下に、本発明に係る盗撮防止システムの処理の流れについて詳細に説明していく。
まず初めに、基準信号送信装置１０１の動作について説明する。
図６は、基準信号送信装置１０１の処理の手順を示すフローチャート図である。
【００４４】
基準信号送信手段２０１は、予め定められた時刻間隔で基準信号を送信する。
【００４５】
本処理の開始直後に、制御手段２０４は、記憶手段２０３に記憶している基準信号送信開始時刻Ｂｓを現在の時刻ｔ１で初期化する（Ｓ１０１）。
【００４６】
次に、制御手段２０４は、送信開始時刻Ｂｓに次回送信開始時刻までの時間であるｄＢｓを加算する（Ｓ１０２）。
【００４７】
次に、制御手段２０４は、現在の時刻ｔ１が基準信号送信開始時刻Ｂｓと同じかを判定し（Ｓ１０３）、基準信号送信開始時刻Ｂｓであれば、基準信号送信手段２０１に基準信号を送信させる（Ｓ１０４）。現在の時刻ｔ１が、送信開始時刻Ｂｓより前であれば、Ｓ１０３の判定の処理を繰り返す。
【００４８】
その後、制御手段２０４は、基準信号送信開始時刻Ｂｓに、携帯端末装置１０２からの撮影可能信号の受信を最大Ｔｂｔｍａｘまで待つ処理を行う。ここでＴｂｔｍａｘは次の送信開始時刻までの時間ｄＢｓよりも小であるとする。
【００４９】
制御手段２０４は、現在の時刻ｔ１と基準信号開始時刻ＢｓにＴｂｔｍａｘを加えた時刻との比較を行なう（Ｓ１０５）。
【００５０】
制御手段２０４の上記判定で、現在時刻ｔ１が、ＢｓにＴｂｔｍａｘを加えた時刻より以後であった場合（Ｓ１０５で「ＮＯ」）、Ｓ１０２の処理に戻り、Ｂｓに次回送信開始時刻までの時間であるｄＢｓを加算して、次の基準信号送信時刻になると再び基準信号を送信する処理を行なう。
【００５１】
制御手段２０４の上記判定で、現在時刻ｔ１が、ＢｓにＴｂｔｍａｘを加えた時刻より前であった場合（Ｓ１０５で「ＹＥＳ」）、制御手段２０４の制御信号により、撮影可能信号受信手段２０２は、携帯端末装置１０２からの撮影可能信号の受信を待つ（Ｓ１０６）。
【００５２】
ところで、基準信号送信手段２０１が時刻Ｂｓに基準信号を送信すると、図４に示される距離の関係により携帯端末装置１０２及び信号受信装置１０３Ｎまでの距離ＬｔｂとＬｂｒＮの距離差に応じて、図５で示されるように、基準信号が携帯端末装置１０２では時刻Ｔｒ、信号受信装置１０３では時刻ＲｂｓＮに受信される。
【００５３】
後述のように、基準信号受信時に携帯端末装置１０２がカメラ撮影可能な状態にある場合には、携帯端末装置１０２から基準信号受信時刻Ｔｒから時間Ｔｄｔ後の時刻Ｔｓに撮影可能信号を送信し、基準信号送信装置１０１の撮影可能信号受信手段２０２は、距離Ｌｔｂに応じて時刻Ｂｔｓにそれを受信する。
【００５４】
制御手段２０４は、撮影可能信号受信手段２０２が、携帯端末装置１０２から撮影可能信号を受信したか否かの判定を行ない（Ｓ１０７）、撮影可能信号を受信していない場合には（Ｓ１０７で「ＮＯ」）、Ｓ１０５の処理に戻る。
【００５５】
撮影可能信号を受信した場合（Ｓ１０７で「ＹＥＳ」）、制御手段２０４は、基準信号送信時刻Ｂｓ及び撮影可能信号受信時刻Ｂｔｓに関する情報を、盗撮検出装置１０４に送信する（Ｓ１０８）。
【００５６】
その後は、Ｓ１０５に戻り、他の携帯端末装置１０２からの撮影可能信号の受信を待つ状態に戻る。
【００５７】
次に、信号受信装置１０３の動作について説明する。
図７は、信号受信装置１０３の処理の手順を示すフローチャート図である。
【００５８】
信号受信手段２０５は、基準信号の受信を待つ（Ｓ２０１）。
【００５９】
次に、制御手段２０７は、信号受信手段２０５が基準信号を受信したか否かの判定・検出を行なう（Ｓ２０２）。
【００６０】
受信した信号が基準信号である場合（Ｓ２０２で「ＹＥＳ」）、制御手段２０７は、記憶手段２０６に、基準信号受信時刻Ｒｂｓを記憶する（Ｓ２０３）。
【００６１】
基準信号を受信しない場合（Ｓ２０２で「ＮＯ」）、Ｓ２０１に戻り、基準信号受信手段２０５は、基準信号の受信を待つ。
【００６２】
基準信号を受信した場合、基準信号受信時刻Ｒｂｓから最大Ｔｒｔｍａｘの時間が経過するまで、信号受信手段２０５は、携帯端末装置１０２からの撮影可能信号の信号受信待ちとなる。ここで、時間Ｔｒｔｍａｘは基準信号送信間隔ｄＢｓより小であるとする。
【００６３】
すなわち、制御手段２０７は、現在時刻ｔ２が、ＲｂｓにＴｒｔｍａｘを加えた時刻より前であるか否かの判定を行なう（Ｓ２０４）。
【００６４】
現在時刻ｔ２が、ＲｂｓにＴｒｔｍａｘを加えた時刻より前である場合（Ｓ２０４で「ＹＥＳ」）、制御手段２０７の制御信号により、信号受信手段２０５は、携帯端末装置１０２からの撮影可能信号の受信を待つ（Ｓ２０５）。
【００６５】
現在時刻ｔ２が、ＲｂｓにＴｒｔｍａｘを加えた時刻以後である場合（Ｓ２０４で「ＮＯ」）、Ｓ２０１の処理に戻り、信号受信手段２０５は、基準信号の受信を待つ。
【００６６】
ここで、前述のように、携帯端末装置１０２は、基準信号受信時にカメラ撮影可能な状態にある場合には、基準信号受信時刻Ｔｒから時間Ｔｄｔ後の時刻Ｔｓに撮影可能信号を送信し、信号受信装置１０３の信号受信手段２０５は、距離ＬｔｒＮに応じて、時刻ＲｔｓＮにそれを受信する。
【００６７】
制御手段２０７は、信号受信手段２０５が携帯端末装置１０２から撮影可能信号を受信したか否かの判定・検出を行なう（Ｓ２０６）。
【００６８】
信号受信手段２０５が、携帯端末装置１０２から撮影可能信号を受信した場合（Ｓ２０６で「ＹＥＳ」）、基準信号受信時刻Ｒｂｓ及び撮影可能信号受信時刻Ｒｔｓを盗撮検出装置１０４に送信する（Ｓ２０７）。
【００６９】
信号受信手段２０５が、携帯端末装置１０２から撮影可能信号を受信しない場合には（Ｓ２０６で「ＮＯ」）、Ｓ２０４の判定に戻り、所定時間が経過するまで撮影可能信号の受信を待つ。
【００７０】
Ｓ２０７で、基準信号受信時刻Ｒｂｓ及び撮影可能信号受信時刻Ｒｔｓを盗撮検出装置１０４に送信した後は、Ｓ２０４に戻り、他の携帯端末装置１０２からの撮影可能信号の受信待ちに戻る。
【００７１】
信号受信装置１０３ａ、信号受信装置１０３ｂとあるが、どちらも処理の手順は同様である。また、本実施形態では、信号受信装置１０３は２つとして説明したが、これ以上の数であっても、処理は同様であり、本発明に係る作用・効果についても同様である。
【００７２】
次に、携帯端末装置１０２内の盗撮防止システム関連部分の動作を説明する。
図８は、携帯端末装置１０２内の盗撮防止システム関連モジュールの処理の手順を示したフローチャート図である。
【００７３】
初めに、カメラデバイス電源判定手段３０１は、撮影が可能なようにカメラデバイスに電源が投入されているかを判定し（Ｓ３０１）、カメラデバイスの電源がＯＮの場合には（Ｓ３０１で「ＹＥＳ」）、カメラデバイス電源判定手段３０１は、撮影可能状態判定手段３０４に通知する。
【００７４】
カメラデバイス電源判定手段３０１から通知を受け取った撮影可能状態判定手段３０４は、基準信号受信手段３０２に、基準信号の受信待ちとなるよう制御信号を送信する。
【００７５】
撮影可能状態判定手段３０４から制御信号を受け取った基準信号受信手段３０２は、基準信号受信待ちになり、撮影可能状態判定手段３０４は、基準信号を受信したか否かの判定・検出を行なう（Ｓ３０２）。基準信号を受信していない場合は、Ｓ３０１の処理に戻る。
【００７６】
撮影可能状態判定手段３０４は、信号受信手段３０２が基準信号を受信したと判定した場合（Ｓ３０２で「ＹＥＳ」）、基準信号送信装置１０１から送信された基準信号を受信した時刻Ｔｒを記憶する（Ｓ３０３）。
【００７７】
カメラデバイスの電源がＯＮの状態で、基準信号を受信した場合、撮影可能状態判定手段３０４は、携帯端末装置１０２が、撮影可能であり、且つ撮影禁止区域に入った可能性のある状態、すなわち、盗撮の可能性のある状態と判定し、基準信号受信時刻Ｔｒから予めさだめられた時間Ｔｄｔ後を撮影可能信号送信時刻Ｔｓとする（Ｓ３０４）。
【００７８】
撮影可能信号送信時刻Ｔｓになるまで待ち状態になり、撮影可能状態判定手段３０４は、現在時刻ｔ３が撮影可能信号送信時刻Ｔｓとなったか否かの判定を行なう（Ｓ３０５）。
【００７９】
現在時刻ｔ３が、まだ撮影可能信号送信時刻Ｔｓとなっていない場合（Ｓ３０５で「ＮＯ」）、Ｓ３０５の判定を繰り返す。
【００８０】
現在時刻ｔ３が、撮影可能信号送信時刻Ｔｓとなった場合（Ｓ３０５で「ＹＥＳ」）、撮影可能状態判定手段３０４は、撮影可能信号送信手段３０５に制御信号を出力し、撮影可能信号送信手段３０５は、撮影可能信号を、信号受信装置１０３に送信する（Ｓ３０６）。
【００８１】
撮影可能信号を送信した後は、Ｓ３０１の処理に戻り、本手順を繰り返す。
【００８２】
次に、盗撮検出装置１０４の動作を説明する。
図９は、盗撮検出装置１０４の処理の手順を示すフローチャート図である。
【００８３】
初めに、盗撮判定手段２０９は、記憶手段２０８の所定のアドレスにおいて、基準信号送信装置１０１の基準信号送信時刻Ｂｓ及び撮影可能信号受信時刻Ｂｔｓの更新があるか否かの判定を行ない（Ｓ４０１）、更新がなければ（Ｓ４０１で「ＮＯ」）、本判定を定期的に繰り返す。
【００８４】
盗撮判定手段２０９は、記憶手段２０８に、上記のような更新があると判定した場合（Ｓ４０１で「ＹＥＳ」）、記憶手段２０８から、基準信号送信時刻Ｂｓ及び撮影可能信号受信時刻Ｂｔｓを取得し（Ｓ４０２）、基準信号送信装置１０１と携帯端末装置１０２間の距離Ｌｔｂの信号伝播時間Ｔｄｂを以下の式に基づき算出する（Ｓ４０３）。
【数１】
2008312009.tif 000003
【００８５】
基準信号送信時刻Ｂｓ及び撮影可能信号受信時刻Ｂｔｓの差は、基準信号送信装置１０１と携帯端末装置１０２間の信号の往復する時間に、携帯端末装置１０２での基準信号受信から撮影可能信号送信までの時刻Ｔｄｔを加えた時間になるため、基準信号送信装置１０１と携帯端末装置１０２間の距離Ｌｔｂの信号伝播時間Ｔｄｂは、上記の式で算出できる。
【００８６】
次に、各信号受信装置１０３からの受信時刻情報を取得するために、受信時刻情報を受信した信号受信装置１０３の数を示すカウンタＮを１に初期化する（Ｓ４０４）。
【００８７】
盗撮判定手段２０９は、信号受信装置１０３における基準信号受信時刻ＲｂｓＮ及び撮影可能信号受信時刻ＲｔｓＮを記憶手段２０８から取得し（Ｓ４０５）、信号受信装置１０３Ｎから携帯端末装置１０２までの距離ＬｔｒＮを以下の式に基づき算出する（Ｓ４０６）。なお、ＲｂｓＮ及びＲｔｓＮは、記憶手段２０８において、各信号受信装置１０３ごとに領域が確保されていて、異なるアドレスに格納されているものとする。
【数２】
2008312009.tif 000004
【００８８】
ここで、ＴｄｒＮは、携帯端末装置１０２から信号受信装置１０３Ｎまでに信号が到達する時間であり、Ｖｓは信号（電波）が空気中を伝播する速度である。
【００８９】
上記の式における項［１］は、基準信号送信装置１０１が基準信号を送信してから携帯端末装置１０２より撮影可能信号を受信するまでの時間であり、これは、距離ＬｔｒＮと、携帯端末装置１０２が基準信号を受信するまでの時間Ｔｄｂと撮影可能信号を送信するまでの時間Ｔｄｔに起因する。
【００９０】
項［２］は、基準信号送信装置１０１から見て、携帯端末装置１０２が基準信号を受信し撮影可能信号を送信するまでの時間であり、これは距離Ｌｔｂに起因する。
【００９１】
項［１］から項［２］を減算する事により、携帯端末装置１０２が撮影可能信号を送信した時刻Ｔｓから信号受信装置１０３がそれを受信した時刻ＲｔｓＮまでにかかった時間ＴｄｒＮが求められる。
【００９２】
ただし、携帯端末装置１０２や信号受信装置１０３等は、完全に一致する時刻測定装置を持つわけではないため、時刻ＴｓからＴｄｒＮを求めることは不可能であるため、基準信号送信装置１０１及び信号受信装置１０３は同じ基準時刻を共有する必要があり、例えば、盗撮検出装置１０４内に基準時計２１１を備え、該基準時計２１１を基にするとよい。
【００９３】
次に、別の信号受信装置１０３から受信時刻情報を取得するために、カウンタＮに１加算する（Ｓ４０７）。
【００９４】
ここで、盗撮判定手段２０９は、カウンタＮが、総信号受信装置１０３の数より大きいか否かの判定を行なう（Ｓ４０８）。
【００９５】
カウンタＮが、総信号受信装置１０３の数以下の場合（Ｓ４０８で「ＮＯ」）、Ｓ４０５に戻り、新たな信号受信装置１０３からの受信時刻情報を取得する。
【００９６】
既に、カウンタＮが、総信号受信装置１０３の数より大きく、全ての信号受信装置１０３から受信時刻情報を取得済みであれば（Ｓ４０８で「ＹＥＳ」）、盗撮判定手段２０９は、携帯端末装置１０２の位置を算出する（本実施例では、数２の式で算出される携帯端末装置１０２から各信号受信装置１０３までの距離）（Ｓ４０９）。
【００９７】
次に、盗撮判定手段２０９は、携帯端末装置１０２の現在位置が撮影禁止区域内かどうかを判定し（Ｓ４１０）、撮影禁止区域内であれば（Ｓ４１０で「ＹＥＳ」）、盗撮防止装置作動手段２１０に、盗撮防止装置１０５を作動させるよう制御信号を送信して（Ｓ４１１）、本処理を終了する。携帯端末装置１０２の現在位置が、撮影禁止区域内でなければ（Ｓ４１０で「ＮＯ」）、Ｓ４０１に戻り、処理を繰り返す。
【００９８】
ところで、Ｓ４１０における携帯端末装置１０２の現在位置が撮影禁止区域内かどうかの判定は、例えば、図１０に示されるように、撮影禁止区域が信号受信装置１０３ａと信号受信装置１０３ｂの間に来るように信号受信装置１０３ａと信号受信装置１０３ｂを設置し、携帯端末装置１０２から信号受信装置１０３ａまでの距離Ｌｔｒ１及び信号受信装置１０３ｂまでの距離Ｌｔｒ２が以下の式を満たした場合に、撮影禁止区域Ｒａ内であると判定することができる。
【数３】
2008312009.tif 000005
【００９９】
ここで、Ｌａは、撮影禁止区域を規定するため、予め定められた値であるとする。
【０１００】
ところで、図１１は本発明で送受信に使用する信号の一例を示す図である。
本発明では、携帯端末装置１０２と第一の信号受信装置１０３ａと第二の信号受信装置１０３ｂ間での距離を正確に計測する必要がある。信号を電波で送信した場合、電波の伝播速度はおよそ３０万Ｋｍ／秒であり、信号の受信時刻を正確に計測するためには、電波の受信時刻の正確さとともに、受信波形の開始位置などを正確に取得する必要がある。
図１１で示す幅Ｔｐが１ナノ秒より短い数百ピコ秒オーダーとなるインパルス列に信号情報を乗せて伝送を行なうＵＷＢ（Ｕｌｔｒａ  Ｗｉｄｅ  Ｂａｎｄ、超広帯域）無線のようなものを利用し、受信時刻をナノ秒単位で取得できれば、距離の計測精度を数センチ程度の精度で確保することができる。
インパルス列に信号情報を乗せるためには、送信信号をプリアンブル部とデータ部に分けて送信すればよい。
【０１０１】
また、基準信号送信装置１０１から送信される基準信号について、データ部に、基準信号送信装置１０１の識別情報を載せ、また、携帯端末装置１０２から送信される撮影可能情報信号についても、基準信号を受信した前記基準信号送信装置１０１の識別情報を付加し、且つ携帯端末情報を付加して撮影可能信号として送信する事で、複数の基準信号送信装置１０３がある場合や、撮影禁止区域に複数の携帯端末装置１０２が撮影可能状態にある場合でも、各信号受信装置１０３において、受信する信号から個々の基準信号送信装置１０１又は携帯端末装置１０２の情報を分離する事が可能となり、盗撮検出装置１０４の盗撮判定手段２０９へその情報と共にデータを送る事により、盗撮判定手段２０９は、基準信号送信装置１０１及び携帯端末装置１０２を識別することができ、個々の携帯端末装置１０２までの距離を正確に計測する事が可能になる。
【０１０２】
盗撮防止装置１０５は、例えば、混雑した電車内等の公衆の場所での猥褻目的の盗撮が行なわれる場合や、書店又はコンビニエンスストア等での書物などに対するいわゆるデジタル万引きと呼ばれる盗撮が行なわれる場合には、例えば、盗撮行為を行なおうとしているユーザーへ警告を発したり、その周囲の人に対して警戒を促すために、警報を鳴らしたり又は予め録音した警告アナウンスを放送する等により盗撮を防止する装置である。
【０１０３】
また、企業内の機密情報を管理する区域などにおいて、機密情報等の盗撮を防止する場合には、例えば、撮影情報の持ち出しなどによる情報漏えいを防ぐために、該当する機密情報管理区域の出入り口の施錠を行ったり、人の出入り時のチェックを強化するために、警備へ通報を行なったりする装置であっても良い。
【０１０４】
ただし、本発明は、撮影禁止区域内での盗撮を検出し、防止する事が主たる目的であるため、盗撮防止装置１０５の種類は限定しない。
【０１０５】
以上のような構成とすることにより、基準信号送信装置１０１における基準信号の送信時刻及び撮影可能信号の受信時刻、並びに信号受信装置１０３における基準信号及び撮影可能信号の受信時刻より、各信号受信装置１０３から撮影可能状態である携帯端末装置１０２までの距離が計測でき、また、それらの距離と予め測定されている各信号受信装置１０３の位置情報から、撮影禁止区域を、従来技術より精度を高めて特定した上で、不正な撮影を防止するための機器を動作させることが可能となる。
【０１０６】
（第２の実施の形態）
本実施形態では、第１の実施形態において図９で示したＳ４０９の携帯端末装置１０２の位置の算出処理以降の動作に関して、携帯端末装置１０２の撮影が撮影禁止区域内か外かの判定を行なう別の実施形態について説明する。他の部分に関しては第１の実施形態と同様であるため詳細の説明は省略する。
【０１０７】
図１２は、携帯端末装置１０２が撮影禁止区域Ｒｂの内か外かを判定する方法を示すための図である。
【０１０８】
信号受信装置１０３ｃの設置位置Ｐ１の座標（ｘ１，ｙ１）と、信号受信装置１０３ｄの設置位置Ｐ２の座標（ｘ２，ｙ２）は既知とする。これは、信号受信装置１０３ｃ及び信号受信装置１０３ｄの設置を行なう際に測定可能であるためである。
【０１０９】
撮影可能信号送信時の携帯端末装置１０２の位置Ｐｔの座標を（ｘｔ，ｙｔ）とした場合、携帯端末装置１０２と信号受信装置１０３ｃ間の距離Ｌｔｒ１と、携帯端末装置１０２と信号受信装置１０３ｄ間の距離Ｌｔｒ２との関係は以下の式のような関係になる。
【数４】
2008312009.tif 000006
【０１１０】
数４の式を変数ｘｔ、ｙｔについて解けば、携帯端末装置１０２の位置Ｐｔを特定することが可能になる。携帯端末装置１０２の位置情報をｘｙ平面の座標として取得できれば、一般的な多角形の内外判定方法を適用する事により、第１の実施形態において図１０に示したような撮影禁止区域を、多角形で定義される任意の形状で指定する事が可能になる。
【０１１１】
同様に３次元の場合に関しても、信号受信装置１０３ｃの設置位置Ｐ１の座標（ｘ１，ｙ１，ｚ１）と信号受信装置１０３ｄの設置位置Ｐ２の座標（ｘ２，ｙ２，ｚ２）、及び第３の受信装置としての基準信号送信装置１０１又は追加の信号受信装置１０３ｅの位置Ｐ３の座標（ｘ３，ｙ３，ｚ３）は既知とし、撮影可能信号送信時の携帯端末装置１０２の位置Ｐｔの座標を（ｘｔ，ｙｔ，ｚｔ）とした場合、携帯端末装置１０２と信号受信装置１０３ｃ間の距離Ｌｔｒ１と、携帯端末装置１０２と信号受信装置１０３ｄ間の距離Ｌｔｒ２と携帯端末装置１０２と第３の受信装置間の距離をＬｔｒ３とした場合、それぞれの間の関係は以下の式のような関係になる。
【数５】
2008312009.tif 000007
【０１１２】
数５の式を変数ｘｔ、ｙｔ、ｚｔについて解けば、携帯端末装置１０２の位置Ｐｔを３次元上の位置情報（ｘｔ，ｙｔ，ｚｔ）として特定することが可能になる。携帯端末装置１０２の位置情報をｘｙｚ空間の座標として取得できれば、一般的なポリゴンで構成される立体の内外判定方法を適用する事により、撮影禁止区域を複数のポリゴンで構成される任意の３次元形状で指定する事が可能になる。
【０１１３】
さらに、盗撮行為が行なわれている場所を平面もしくは空間上の座標として特定できる事により、例えば、防犯カメラ等により盗撮行為者の限定を行なうことが可能になる。
【０１１４】
尚、本発明の盗撮防止システム、盗撮検出装置及び盗撮防止方法は、上述の図示例にのみ限定されるものではなく、本発明の要旨を逸脱しない範囲内において種々変更を加え得ることは勿論である。
【図面の簡単な説明】
【０１１５】
【図１】本発明における盗撮防止システムの一例を示すための構成図である。
【図２】本発明における盗撮防止機能のモジュール構成を示すブロック図である。
【図３】本発明における携帯端末装置側のモジュール構成を示すブロック図である。
【図４】本発明における基準信号送信装置と携帯端末装置と信号受信装置との間の位置と距離の相関関係を示す図である。
【図５】基準信号送信装置、携帯端末装置及び信号受信装置における基準信号及び撮影可能信号についての送受信時刻の関係を示す図である。
【図６】本発明における基準信号送信装置の処理手順を示すフローチャートである。
【図７】本発明における信号受信装置の処理手順を示すフローチャートである。
【図８】本発明における携帯端末装置の処理手順を示すフローチャートである。
【図９】本発明における盗撮検出装置の処理手順を示すフローチャートである。
【図１０】本発明の第１の実施形態における携帯端末装置の位置について撮影禁止区域の内外判定を説明するための図である。
【図１１】本発明における基準信号送信装置、携帯端末装置及び信号受信装置間で行なう通信の信号の波形を説明するための図である。
【図１２】本発明の第２の実施形態における携帯端末装置の位置について撮影禁止区域の内外判定を説明するための図である。
【符号の説明】
【０１１６】
１００  盗撮防止システム
１０１  基準信号送信装置
１０２  携帯端末装置
１０３  信号受信装置
１０４  盗撮検出装置
１０５  盗撮防止装置
２０１  基準信号送信手段
２０２  撮影可能信号受信手段
２０３、２０６、２０８  記憶手段
２０４、２０７  制御手段
２０５  信号受信手段
２０９  盗撮判定手段
２１０  盗撮防止装置作動手段
２１１  基準時計
３０１  カメラデバイス電源判定手段
３０２  基準信号受信手段
３０３  端末情報取得手段
３０４  撮影可能状態判定手段
３０５  撮影可能信号送信手段
【図１】
2008312009.tif 000008
【図２】
2008312009.tif 000009
【図３】
2008312009.tif 000010
【図４】
2008312009.tif 000011
【図５】
2008312009.tif 000012
【図６】
2008312009.tif 000013
【図７】
2008312009.tif 000014
【図８】
2008312009.tif 000015
【図９】
2008312009.tif 000016
【図１０】
2008312009.tif 000017
【図１１】
2008312009.tif 000018
【図１２】
2008312009.tif 000019